(57)【要約】【課題】軽衝突時に補機と蓄電装置とが干渉するような位置に蓄電装置を配置しても、蓄電装置の支持剛性の向上と、軽衝突時における蓄電装置の保護との両立を図ることができる自動車の前部構造の提供を目的とする。【解決手段】蓄電装置２０の前方の所定距離内に補機７が配設されると共に、上記蓄電装置２０の前部を覆い、車幅方向外側辺が車両後方へ屈曲し、かつ上記補機７よりも高剛性の前壁部２１ａを有する取付けブラケット２１を設け、上記蓄電装置２０は上記取付けブラケット２１を介してフロントサイドフレーム２前部に連結されたことを特徴とする。【選択図】図６
2016097735.tif 000002
【特許請求の範囲】
【請求項１】
フロントサイドフレーム前部で、かつ該フロントサイドフレームの車幅方向外側部位に蓄電装置が配設された自動車の前部構造であって、
上記蓄電装置の前方の所定距離内に補機が配設されると共に、
上記蓄電装置の前部を覆い、車幅方向外側辺が車両後方へ屈曲し、かつ上記補機よりも高剛性の前壁部を有する取付けブラケットを設け、
上記蓄電装置は上記取付けブラケットを介して上記フロントサイドフレーム前部に連結された
自動車の前部構造。
【請求項２】
上記補機は、前側の本体部と後側の脆弱部とに分割されている
請求項１記載の自動車の前部構造。
【請求項３】
上記取付けブラケットは中間ブラケットを介して車体に連結されており、
該中間ブラケットは、上記取付けブラケットまたは蓄電装置よりも車両後方荷重に対して変形容易で、かつ上記補機よりも高剛性に設定された
請求項１または２記載の自動車の前部構造。
【発明の詳細な説明】
【技術分野】
【０００１】
この発明は、フロントサイドフレーム前部で、かつ該フロントサイドフレームの車幅方向外側部位に蓄電装置が配設されたような自動車の前部構造に関する。
【背景技術】
【０００２】
一般に、自動車等の車両には、キャパシタ、補助バッテリまたはリチウムイオンキャパシタ等の電気を蓄電する蓄電装置が配設される。
【０００３】
従来、上述例の蓄電装置は、フロントサイドフレーム前部で、かつ該フロントサイドフレームの車幅方向外側部位に配設されている。  
上述の蓄電装置による蓄電量を多くする場合には、当該蓄電装置が大型化して、その占有スペースが大となり、加えて重量も増大するので、次のような新たな問題点が生ずる。
【０００４】
すなわち、蓄電装置の大型化に伴って、該蓄電装置周囲のクラッシュスペースが減少し、車両前突時に後退するフォグランプ等の補機との干渉により、蓄電装置が破損した場合には、その修理コストが大となる問題点があった。
【０００５】
また、蓄電装置の大型化および重量増大に伴って、蓄電装置の重心がフロントサイドフレームから離間し、かつ、蓄電装置の重量増大により車両走行時の振動でフロントサイドフレームに伝達される振動モーメントが増加し、ＮＶＨ（ｎｏｉｓｅ、ｖｉｂｒａｔｉｏｎ、ｈａｒｓｈｎｅｓｓの略で、ノイズ、振動、ハーシュネスの意）が大きくなるので、このＮＶＨを低減させるためには、蓄電装置の振動に打ち勝つ支持剛性が必要となるが、フロントサイドフレーム前部はフロントバンパフェースの直後方であるため、配置スペースが狭小であり、振動モーメントを如何に抑制するかが問題となる。
【０００６】
ところで、特許文献１には、フロントサイドフレーム前部で、かつ該フロントサイドフレームの車幅方向外側部位に蓄電装置が配設された自動車の前部構造において、蓄電装置の後側上部をフロントサイドフレームに、また後側下部をサスクロスの前方延長部に連結すると共に、上記蓄電装置を、フロントサイドフレーム前端から前方へ突出するようにもうけられたクラッシュカンの後端よりも車両前方まで延設した構成が開示されている。
【０００７】
この特許文献１には、蓄電装置とフォグランプなどの補機との位置関係については全く開示されていないが、上述の蓄電装置をクラッシュカン後端よりも車両前方に延設しているので、クラッシュスペースが減少し、上述のクラッシュカンの衝撃吸収変形で衝突エネルギを吸収可能な軽衝突であっても、補機が後退して、該補機が蓄電装置に衝突することで、蓄電装置が損傷する懸念があった。
【０００８】
また、特許文献１に開示された従来構造においては、蓄電装置の後側上部がフロントサイドフレームに連結されており、蓄電装置の後側下部がサスクロスの前方延長部に連結されているので、車両の衝突時（前突時）に蓄電装置の後退が阻害される。この後退阻害を防止するため該特許文献１では、蓄電装置の後側下部とサスクロスの前方延長部とを連結するブラケットにスリットを形成して、後退時にブラケットを離脱すべく構成しているが、この離脱可能構造となっている分、締結力が弱くなるので、改善の余地があった。
【０００９】
一方で、蓄電装置を衝突時に後退容易に車体に取付けることも考えられるが、この場合には、蓄電装置の支持剛性が低下する懸念があった。
【先行技術文献】
【特許文献】
【００１０】
【特許文献１】特開２０１２−１４４２４２号公報
【発明の概要】
【発明が解決しようとする課題】
【００１１】
そこで、この発明は、補機よりも高剛性の前壁部をもった取付けブラケットにより蓄電装置をフロントサイドフレーム前部に取付けることで、軽衝突時に補機と蓄電装置とが干渉するような位置に蓄電装置を配置しても、蓄電装置の支持剛性の向上と、軽衝突時における蓄電装置の保護との両立を図ることができる自動車の前部構造の提供を目的とする。
【課題を解決するための手段】
【００１２】
この発明による自動車の前部構造は、フロントサイドフレーム前部で、かつ該フロントサイドフレームの車幅方向外側部位に蓄電装置が配設された自動車の前部構造であって、上記蓄電装置の前方の所定距離内に補機が配設されると共に、上記蓄電装置の前部を覆い、車幅方向外側辺が車両後方へ屈曲し、かつ上記補機よりも高剛性の前壁部を有する取付けブラケットを設け、上記蓄電装置は上記取付けブラケットを介して上記フロントサイドフレーム前部に連結されたものである。  
上述の蓄電装置は、キャパシタ、補助バッテリ、リチウムイオンキャパシタの何れであってもよい。  
また、上述の蓄電装置の前方の所定距離内は、クラッシュカンによる荷重吸収変形ストロークの範囲内を意味する。さらに、上述の補機は、フォグランプに設定してもよい。
【００１３】
上記構成によれば、補機よりも剛性が高い取付けブラケットの前壁部で蓄電装置の前部を覆い、該取付けブラケットを介して蓄電装置をフロントサイドフレーム前部に連結したので、軽衝突時に補機と蓄電装置とが干渉するような位置に蓄電装置を配置しても、取付けブラケットにより蓄電装置の支持剛性の向上を図ることができると共に、軽衝突時に補機が後退して蓄電装置前部の取付けブラケットにおける前壁部に干渉しても、該前壁部にて蓄電装置が損傷することを抑制して、該蓄電装置を保護することができる。
【００１４】
つまり、蓄電装置の支持剛性向上と、軽衝突時における蓄電装置の保護との両立を図ることができる。換言すれば、軽衝突時においては補機を犠牲にして蓄電装置を保護するものである。  
また、上述の取付けブラケットは、その車幅方向外側辺が車両後方へ屈曲しており、この屈曲部で取付けブラケットを補強することができると共に、軽衝突時に取付けブラケットに干渉した補機を車幅方向外側に誘導して去なすことができるので、蓄電装置をより一層適切に軽衝突から保護することができる。
【００１５】
この発明の一実施態様においては、上記補機は、前側の本体部と後側の脆弱部とに分割されているものである。  
上述の補機をフォグランプとする場合には、本体部はランプ本体部に、また、脆弱部はコネクタ部に設定してもよい。
【００１６】
上記構成によれば、補機の破損を段階的に制御することができ、各部位を修理可能となして、修理コストの最小化を図ることができる。
【００１７】
この発明の一実施態様においては、上記取付けブラケットは中間ブラケットを介して車体に連結されており、該中間ブラケットは、上記取付けブラケットまたは蓄電装置よりも車両後方荷重に対して変形容易で、かつ上記補機よりも高剛性に設定されたものである。
【００１８】
上記構成によれば、蓄電装置を補機よりも高剛性の取付けブラケットの前壁部で保護することができると共に、車両後方荷重（車両後方への荷重）に対して変形容易な中間ブラケットにて蓄電装置の退避変形を可能として、衝突時における該蓄電装置の損傷を抑制することができる。
【発明の効果】
【００１９】
この発明によれば、補機よりも高剛性の前壁部をもった取付けブラケットにより蓄電装置をフロントサイドフレーム前部に取付けることで、軽衝突時に補機と蓄電装置とが干渉するような位置に蓄電装置を配置しても、蓄電装置の支持剛性の向上と、軽衝突時における蓄電装置の保護との両立を図ることができる効果がある。
【図面の簡単な説明】
【００２０】
【図１】本発明の自動車の前部構造を示す平面図
【図２】蓄電装置を取外した状態で示す自動車の前部構造の要部斜視図
【図３】蓄電装置を取付けた状態で示す自動車の前部構造の要部斜視図
【図４】図３の正面図
【図５】図３の側面図
【図６】図３の平面図
【図７】図３の底面図
【図８】自動車の前部構造の他の実施例を示す斜視図
【図９】図８の正面図
【図１０】図８の平面図
【図１１】蓄電装置の複数のブラケットの関連構造を示す斜視図
【発明を実施するための形態】
【００２１】
軽衝突時に補機と蓄電装置とが干渉するような位置に蓄電装置を配置しても、蓄電装置の支持剛性の向上と、軽衝突時における蓄電装置の保護との両立を図るという目的を、フロントサイドフレーム前部で、かつ該フロントサイドフレームの車幅方向外側部位に蓄電装置が配設された自動車の前部構造において、上記蓄電装置の前方の所定距離内に補機が配設されると共に、上記蓄電装置の前部を覆い、車幅方向外側辺が車両後方へ屈曲し、かつ上記補機よりも高剛性の前壁部を有する取付けブラケットを設け、上記蓄電装置は上記取付けブラケットを介して上記フロントサイドフレーム前部に連結されるという構成にて実現した。
【実施例１】
【００２２】
この発明の一実施例を以下図面に基づいて詳述する。  
図面は自動車の前部構造を示し、図１は当該前部構造を示す平面図、図２は蓄電装置を取外した状態で示す自動車の前部構造の要部斜視図、図３は蓄電装置を取付けた状態で示す自動車の前部構造の要部斜視図、図４は図３の正面図、図５は図３の側面図、図６は図３の平面図、図７は図３の底面図である。  
なお、図中、矢印Ｆは車両前方を示し、矢印Ｒは車両後方を示し、矢印ＩＮは車幅方向の内方を示し、矢印ＯＵＴは車幅方向の外方を示す。また、図２〜図７においてはフロントサイドフレーム前端のメインクラッシュカンの図示を省略している。
【００２３】
図１において、エンジンルーム１と車室とを車両の前後方向に仕切るダッシュロアパネル（ダッシュパネル）を設け、このダッシュロアパネルからエンジンルーム１の左右両サイドにおいて車両前方へ延びる左右一対のフロントサイドフレーム２，２（図面では車両左側のフロントサイドフレーム２のみを示す）を設けている。
【００２４】
このフロントサイドフレーム２はフロントサイドフレームインナとフロントサイドフレームアウタとを接合固定して、車両の前後方向に延びる閉断面をもった車体強度部材である。  
上述のフロントサイドフレーム２の前端部には、図２，図３に示すように、その閉断面を塞ぐように、プレート状のセットプレート３が取付けられており、このセットプレート３の車幅方向外端部には、当該外端部から車両前方に延びるフランジ部３ａが一体形成されている。
【００２５】
この実施例では、該フランジ部３ａは上下方向に離間して複数形成されているが、該フランジ部は上下方向に離間することなく、上下方向に連続した１つのフランジ部であってもよい。
【００２６】
図１に示すように、フロントサイドフレーム２前端のセットプレート３には、ボルト、ナット等の取付け部材を用いてクラッシュカン用の取付けプレート（図示せず）が締結され、この取付けプレートから車両前方に延びるクラッシュカン４（つまりメインクラッシュカン）が設けられている。  
上述のクラッシュカン４は左右一対の各フロントサイドフレーム２，２の前端にそれぞれ設けられるもので、左右の各クラッシュカン４，４（図面では車両左側のクラッシュカン４のみを示す）相互間には、車幅方向に延びるバンパビーム５が取付けられている。
【００２７】
図１に示すように、このバンパビーム５の直前部において、エンジンルーム１の前方を覆うように、フロントバンパフェース６が取付けられており、このフロントバンパフェース６のクラッシュカン４よりも車幅方向外側部の所定高さ位置には補機としてのフォグランプ７（補助前照灯の一種である霧灯）が取付けられている。なお、図１において、８は前輪である。
【００２８】
図１〜図３に示すように、フロントサイドフレーム２の下方部には、サスペンションアームを介して左右の前輪８，８を支持するサブフレーム１０（サスペンションクロスメンバと同意）が設けられている。
【００２９】
図３に示すように、サブフレーム１０は、フロントサイドフレーム２の下方部において車両の前後方向に延びる左右一対のサイドメンバ１１，１１（詳しくは、レフトメンバとライトメンバ）と、このサイドメンバ１１，１１の前端部において当該左右のサイドメンバ１１，１１を車幅方向に連結する前側のクロスメンバ１２と、サイドメンバ１１の後端部において当該左右のサイドメンバ１１，１１を車幅方向に連結する後側のクロスメンバ１３（いわゆるリヤクロスメンバ）と、を車両平面視で略方形枠状に連結したペリメータフレームである。  
ここで、上述のサイドメンバ１１は、サイドメンバアッパとサイドメンバロアとを接合固定して、車両の前後方向に延びる閉断面を有している。
【００３０】
また、図１，図３に示すように、該サイドメンバ１１における後側のクロスメンバ１３近傍位置上部には、サブフレーム１０をフロントサイドフレーム２の下部に取付けるための閉断面構造のタワー部１４（所謂つの部）が一体的に設けられている。そして、このサブフレーム１０は左右一対のタワー部１４，１４を用いて、フロントサイドフレーム２の下部に取付けられている。
【００３１】
図２，図３に示すように、サブフレーム１０におけるサイドメンバ１１の前端部には、その閉断面を塞ぐようにプレート状のセットプレート１５が取付けられており、このセットプレート１５の前面には、同じくプレート状の取付けプレート１６を介してサブクラッシュカン１７が取付けられている。
【００３２】
図２，図３，図４に示すように、セットプレート１５と取付けプレート１６とは、ボルト、ナット等の複数組、例えば、３組の取付け部材１８…を用いて互いに連結固定されている。
【００３３】
図１に示すように、上述のサブクラッシュカン１７はクラッシュカン４（メインクラッシュカン）の直下方において、セットプレート１５および取付けプレート１６から車両前方に延びるように設けられている。  
なお、図３，図４において、１９は前輪８を支持するロアアームである。
【００３４】
図５，図６に示すように、フロントサイドフレーム２の前部で、かつ該フロントサイドフレーム２の車幅方向外側部位には蓄電装置としてのキャパシタ２０が配設されている。
【００３５】
このキャパシタ２０は電気を備えるもので、図５に示すように、キャパシタ２０の上端はフロントサイドフレーム２の前部上端近傍に位置し、キャパシタ２０の下端はサブフレーム１０のサイドメンバ１１前端部下面よりもさらに低位置に位置する。つまり、該キャパシタ２０はフロントサイドフレーム２前部上端近傍からサイドメンバ１１の前端部下面よりもさらに低位置まで上下方向に延びる高さを有している。  
上述のキャパシタ２０はその内部に複数の蓄電素子（図示せず）を有すると共に、この実施例では蓄電量を多くするため、図６に仮想線αで示す特許文献１のキャパシタに対して大型のキャパシタ２０を採用している。
【００３６】
図６に示すように、上述のキャパシタ２０はその前部が前側取付けブラケット２１で覆われており、その後部が後側取付けブラケット２２で覆われており、その車幅方向内側部が、これら前後の各取付けブラケット２１，２２を車両前後方向に連結する連結ブラケット２３で覆われている。
【００３７】
上述の前側取付けブラケット２１は、補機であるフォグランプ７よりも高剛性の前壁部２１ａと、前壁部２１ａの車幅方向外側辺を車両後方へ屈曲させた屈曲部２１ｂと、前壁部２１ａの車幅方向内側辺を車両前方へ屈曲させたフランジ部２１ｃとを一体形成したもので、図４に示すように、上述の前側取付けブラケット２１の前壁部２１ａでキャパシタ２０の前面ほぼ全体をその前方から覆っている。
上述の連結ブラケット２３は、図６に示すように、側壁部２３ａと、該側壁部２３ａの車両前後方向前辺を車幅方向外方へ屈曲させた前部フランジ２３ｂと、側壁部２３ａの車両前後方向後辺を車幅方向内方へ屈曲させた後部フランジ２３ｃと、を一体形成したもので、図６に示すように、前部フランジ２３ｂを前側取付けブラケット２１の前壁部２１ａ背面に接合すると共に、後部フランジ２３ｃを後側取付けブラケット２２の前面に接合している。
【００３８】
また、図６に示すように、上述の後側取付けブラケット２２の車幅方向内側寄りの背面には、後述するフェンダブラケット２９を支持するための支持ブラケット２４を設けている。
【００３９】
この実施例１では、上述のキャパシタ２０は、フロントサイドフレーム２前部で、かつ該フロントサイドフレーム２の車幅方向外側部位で、なおかつ、前側取付けブラケット２１における前壁部２１ａの車両前後方向の位置がセットプレート３およびサブクラッシュカン１７の取付けプレート１６の車両前後方向の位置と略一致するように配設されている（図６参照）。
【００４０】
図３〜図６に示すように、上述のキャパシタ２０の前側上部がフロントサイドフレーム２前部の車外側に連結されている。詳しくは、前側取付けブラケット２１のフランジ部２１ｃが、ボルト、ナット等の取付け部材２５，２５（図５参照）を用いて、セットプレート３の車外側に位置するフランジ部３ａに連結されている。  
また、上述の取付け部材２５による両者２１ｃ，３ａの連結部位の下方にはサブフレーム１０のサイドメンバ１１前端部に位置するサブクラッシュカン１７の取付けプレート１６が位置しており、この取付けプレート１６の車外側には、キャパシタ２０の前側下部が連結されている。
【００４１】
詳しくは、図２，図４に示すように、上述の取付けプレート１６の車幅方向外側下部には、車幅方向内側が高く、車幅方向外側が低くなるように傾斜した傾斜フランジ１６ａが一体形成される一方で、キャパシタ２０の前側取付けブラケット２１の前壁部２１ａ下部には、該ブラケット２１とは別体の中間ブラケット２６が、ボルト、ナット等の取付け部材２７を用いて連結固定されている。
【００４２】
上述の中間ブラケット２６は、前側取付けブラケット２１の前壁部２１ａに当接する当接部２６ａと、この当接部２６ａの車幅方向内側端部から屈曲して車両前方に延びるフランジ部２６ｂと、当接部２６ａとフランジ部２６ｂとの間に形成された切欠き部２６ｃとを有すると共に、該中間ブラケット２６は上述の前側取付けブラケット２１よりもその上下方向の幅が極めて小幅に形成されており、かつ図６に示すように、平面視でクランク形状に屈曲されたものである。
【００４３】
そして、図４に示すように、中間ブラケット２６のフランジ部２６ｂを、取付けプレート１６の傾斜フランジ１６ａに、ボルト、ナット等の取付け部材２８を用いて連結することで、サブフレーム１０前部の車外側にキャパシタ２０の前側下部を連結したものである。
【００４４】
さらに、図５，図６に示すように、キャパシタ２０の後部は、取付け部材２５によるフロントサイドフレーム２とキャパシタ２０の前側上部との連結部位よりも後方の位置に連結されている。
【００４５】
詳しくは、図５，図６に示すように、フロントサイドフレーム２の車幅方向外側面に後側中間ブラケットとしてのフェンダブラケット２９を取付け、このフェンダブラケット２９を、ボルト、ナット等の取付け部材３０を用いて、上述の支持ブラケット２４に支持させることで、キャパシタ２０の後部を後側取付けブラケット２２および支持ブラケット２４を介して、フロントサイドフレーム２の車幅方向外側に位置するフェンダブラケット２９に連結したものである。
【００４６】
このように、キャパシタ２０の前側上部がフロントサイドフレーム２前部のセットプレート３に連結され、取付け部材２５による連結部位の下方に位置するサブフレーム１０のサイドメンバ１１前部に、キャパシタ２０の前側下部が連結され、キャパシタ２０の後部が、上記取付け部材２５による連結部位よりも後方の位置に連結されている。
【００４７】
これにより、キャパシタ２０の前側において該キャパシタ２０が上下方向に振動しないように強固に支持しつつ、キャパシタ２０の前後方向においてはフロントサイドフレーム２の前後２点で支持して、振動を効果的に低減すべく構成したものである。  
つまり、フロントサイドフレーム２前部の前後方向剛性を向上させることなく、キャパシタ２０の上下振動および前下方向の揺動に対する車体支持剛性の向上を図るように構成したものである。
【００４８】
この点について、さらに詳述すると、前輪８の揺動スペース（操舵スペース）を確保するために、キャパシタ２０の前側が車幅方向の外側に張り出しており、該キャパシタ２０の荷重が前側に集中して、本来ならば振動が大きくなるが、この振動を低減するため上記構成を採用している。
【００４９】
すなわち、キャパシタ２０の前下をサブフレーム１０のサイドメンバ１１前部に取付け、キャパシタ２０の前上をフロントサイドフレーム２前部のセットプレート３に取付け、キャパシタ２０をその前側で上下方向に揺動しないように支持しつつ、前後方向についてはフロントサイドフレーム２の前後２点で支持し、これにより振動を効果的に低減すべく構成している。ここで、揺動モーメントは基本的には上下振動であるので、上記構成により、上下振動に対して強い構造と、キャパシタ２０の支持剛性向上と、フロントサイドフレーム２に対する衝突時の影響低減とを確保するように構成したものである。
【００５０】
図３，図４に示すように、上述の中間ブラケット２６はキャパシタ２０とサブフレーム１０におけるサイドメンバ１１前部に位置する取付けプレート１６との間に設けられており、該中間ブラケット２６の剛性はキャパシタ２０の後退変位を許容するように前側取付けブラケット２１の剛性に対して脆弱に形成されている。
【００５１】
そして、キャパシタ２０の前側取付けブラケット２１よりも脆弱な中間ブラケット２６を介して、キャパシタ２０とサイドメンバ１１前部との間を連結することで、車両の軽衝突時に、当該中間ブラケット２６が変形することで、キャパシタ２０の後退変位を許容して、当該キャパシタ２０の損傷を抑制し、その修理コストの低減を図るように構成している。
【００５２】
また、図３，図６に示すように、上述のキャパシタ２０は前側取付けブラケット２１を介してフロントサイドフレーム２前部のセットプレート３と、サブフレーム１０におけるサイドメンバ１１前部に位置する取付けプレート１６とに連結されている。
【００５３】
このように、キャパシタ２０をその前方から覆う前壁部２１ａを有する前側取付けブラケット２１を設け、該ブラケット２１を介してキャパシタ２０をフロントサイドフレーム２とサブフレーム１０との両前部に連結することで、キャパシタ２０の衝突に対する保護と、支持剛性の向上との両立を図るように構成している。
【００５４】
特に、上記前壁部２１ａによりキャパシタ２０の上下方向の剛性が高くなり、上下振動の抑制を図り、また、剛性向上と脆弱化という相反する機能を、前壁部２１ａと中間ブラケット２６とで分担させることができ、振動抑制と衝突からのキャパシタ２０の保護とを両立させるように構成している。  
上述のキャパシタ２０（特に、その蓄電素子）はその前部が後部に対して車幅方向外側に突出するように配設されている（図６参照）。
【００５５】
これにより、前輪８の可動領域よりも前方内側の空間を有効利用しつつ、キャパシタ２０前部の重心が車幅方向外側に寄って揺動しやすくなるのを、キャパシタ２０前部を重点的に車体と連結することで、効果的に振動を抑制するように構成している。
【００５６】
また、キャパシタ２０は、図３，図４に示すように、前側取付けブラケット２１を介して、フロントサイドフレーム２前端のセットプレート３に連結されると共に、サブフレーム１０におけるサイドメンバ１１前端のセットプレート１５に取付けプレート１６を介して連結されている。ここで、上述のフロントサイドフレーム２とサイドメンバ１１とは、連結部材３１を用いて、その前端部で連結されており、また、上述のフロントサイドフレーム２とサイドメンバ１１は車両前後方向に延びる閉断面をそれぞれ有している。
【００５７】
これにより、キャパシタ２０の振動荷重をフロントサイドフレーム２およびサイドメンバ１１の閉断面全体に分散し、当該閉断面を変形させるような応力を防止して、車体振動や騒音を抑制すべく構成したものである。さらに、上述のセットプレート３のフランジ部３ａと、取付けプレート１６の傾斜フランジ１６ａとは何れもプレート形状であり、前側取付けブラケット２１と中間ブラケット２６との取付け部を容易に設定し得るように構成している。
【００５８】
加えて、図１に示すように、フロントサイドフレーム２前端の左右のクラッシュカン４（メインクラッシュカン）相互間には車幅方向に延びるバンパビーム５が設けられており、サブフレーム１０の左右のサイドメンバ１１，１１相互間には車幅方向に延びる前側のクロスメンバ１２が設けられていて、キャパシタ２０の振動荷重を車幅方向の反対側にも荷重分散して、振動をより一層抑制すべく構成している。
【００５９】
換言すれば、上述のキャパシタ２０はその支持剛性向上の観点から車幅方向剛性が強い部分に取付けられることが好ましく、この実施例では、該キャパシタ２０をバンパビーム５およびサブフレーム１０の前側のクロスメンバ１２に可及的近く、車幅方向剛性が強い部分に取付けられているので、キャパシタ２０の横方向の振動をも抑制することができる。
【００６０】
ところで、図６に示すように、補機としてのフォグランプ７はキャパシタ２０の前方の所定距離内（クラッシュカン４およびサブクラッシュカン１７の荷重吸収ストローク範囲内）に配設されており、上述の前側取付けブラケット２１の剛性はフォグランプ７の剛性よりも高剛性に設定され、キャパシタ２０はこの前側取付けブラケット２１を介してフロントサイドフレーム２前部のセットプレート３に連結されている。
【００６１】
これにより、車両の軽衝突時にフォグランプ７とキャパシタ２０とが干渉するような位置に該キャパシタ２０を配置しても、前側取付けブラケット２１によりキャパシタ２０の支持剛性向上を図りつつ、軽衝突時にフォグランプ７が後退してキャパシタ２０前部の前側取付けブラケット２１の前壁部２１ａに干渉しても、該前壁部２１ａによりキャパシタ２０が損傷することを抑制すべく構成したものである。
【００６２】
また、図６に示すように、上述のフォグランプ７は前側に位置するフォグランプ本体７ａと、後側に位置する脆弱部としてのコネクタ７ｂとに分割形成されている。これにより、車両の軽衝突時において、フォグランプ７の破損を段階的に制御して、各部位を修理可能（特に、コネクタ７ｂのみが破損した場合には、コネクタ７ｂのみを修理可能）と成し、修理コストの最小化を図るように構成している。
【００６３】
さらに、図３に示すように、上述の前側取付けブラケット２１は中間ブラケット２６を介して車体に連結（具体的には取付けプレート１６およびセットプレート１５を介して車体であるサイドメンバ１１に連結）されており、該中間ブラケット２６は、前側取付けブラケット２１またはキャパシタ２０よりも車両後方への荷重（つまり車両後方荷重）に対して変形容易であり、かつ上述のフォグランプ７よりも高剛性に設定されている。  
ここで、各要素の剛性の高低は次のように設定されている。
【００６４】
すなわち、フォグランプ７のコネクタ７ｂの剛性が最も低く、次にフォグランプ７の本体７ａの剛性が低く、フォグランプ本体７ａの剛性よりも中間ブラケット２６の剛性が高く、前側取付けブラケット２１の剛性が最も高くなるように設定されている。
【００６５】
これにより、キャパシタ２０をフォグランプ７よりも高剛性の前側取付けブラケット２１の前壁部２１ａで保護すると共に、車両後方荷重に対して変形が容易な中間ブラケット２６によりキャパシタ２０の後方への退避変形を可能として、衝突時におけるキャパシタ２０の損傷を抑制するように構成している。  
上述の各要素の剛性の高低により軽衝突時にこれら各要素が損傷または破損する順序は次のようになる。
【００６６】
軽衝突の度合が小さい場合には、フォグランプ７のコネクタ７ｂのみが損傷する。軽衝突の荷重がさらに大きくなると、フォグランプ７のコネクタ７ｂに併せてフォグランプ本体７ａが破損する。軽衝突荷重がさらに大きくなると、フォグランプ７のみならず中間ブラケット２６が変形する。この中間ブラケット２６は小幅かつ平面視クランク形状であるうえ、上述の切欠き部２６ｃを有するので、衝突荷重による応力が該切欠き部２６ｃに集中して変形することになる。何れにしても上述の前側取付けブラケット２１の前壁部２１ａによりキャパシタ２０を適切に保護することができる。
【００６７】
このように、上記実施例の自動車の前部構造は、フロントサイドフレーム２前部で、かつ該フロントサイドフレーム２の車幅方向外側部位に蓄電装置（キャパシタ２０参照）が配設された自動車の前部構造であって、上記蓄電装置（キャパシタ２０）の前方の所定距離内に補機（フォグランプ７参照）が配設されると共に、上記蓄電装置（キャパシタ２０）の前部を覆い、車幅方向外側辺が車両後方へ屈曲し、かつ上記補機（フォグランプ７）よりも高剛性の前壁部２１ａを有する前側取付けブラケット２１を設け、上記蓄電装置（キャパシタ２０）は上記前側取付けブラケット２１を介して上記フロントサイドフレーム２前部に連結されたものである（図６参照）。
【００６８】
この構成によれば、補機（フォグランプ７）よりも剛性が高い前側取付けブラケット２１の前壁部２１ａで蓄電装置（キャパシタ２０）の前部を覆い、該前側取付けブラケット２１を介して蓄電装置（キャパシタ２０）をフロントサイドフレーム２前部に連結したので、軽衝突時に補機（フォグランプ７）と蓄電装置（キャパシタ２０）とが干渉するような位置に蓄電装置（キャパシタ２０）を配置しても、前側取付けブラケット２１により蓄電装置（キャパシタ２０）の支持剛性の向上を図ることができると共に、軽衝突時に補機（フォグランプ７）が後退して蓄電装置（キャパシタ２０）前部の前側取付けブラケット２１における前壁部２１ａに干渉しても、該前壁部２１ａにて蓄電装置（キャパシタ２０）が損傷することを抑制して、該蓄電装置（キャパシタ２０）を保護することができる。
【００６９】
つまり、蓄電装置（キャパシタ２０）の支持剛性向上と、軽衝突時における蓄電装置（キャパシタ２０）の保護との両立を図ることができる。換言すれば、軽衝突時においては補機（フォグランプ７）を犠牲にして蓄電装置（キャパシタ２０）を保護するものである。  
また、上述の前側取付けブラケット２１は、その車幅方向外側辺が車両後方へ屈曲しており（屈曲部２１ｂ参照）、この屈曲部２１ｂで前側取付けブラケット２１を補強することができると共に、軽衝突時に前側取付けブラケット２１に干渉した補機（フォグランプ７）を車幅方向外側に誘導して去なすことができるので、蓄電装置（キャパシタ２０）をより一層適切に軽衝突から保護することができる。
【００７０】
また、この発明の一実施形態においては、上記補機（フォグランプ７）は、前側の本体部（フォグランプ本体７ａ参照）と後側の脆弱部（コネクタ７ｂ参照）とに分割されているものである（図６参照）。
【００７１】
この構成によれば、補機（フォグランプ７）の破損を段階的に制御することができ、各部位を修理可能となして、修理コストの最小化を図ることができる。
【００７２】
さらに、この発明の一実施形態においては、上記前側取付けブラケット２１は中間ブラケット２６を介して車体（サイドメンバ１１参照）に連結されており、該中間ブラケット２６は、上記前側取付けブラケット２１または蓄電装置（キャパシタ２０）よりも車両後方荷重（車両後方への荷重）に対して変形容易で、かつ上記補機（フォグランプ７）よりも高剛性に設定されたものである（図２，図３参照）。
【００７３】
この構成によれば、蓄電装置（キャパシタ２０）を補機（フォグランプ７）よりも高剛性の前側取付けブラケット２１の前壁部２１ａで保護することができると共に、車両後方荷重（車両後方への荷重）に対して変形容易な中間ブラケット２６にて蓄電装置（キャパシタ２０）の退避変形を可能として、衝突時における該蓄電装置（キャパシタ２０）の損傷を抑制することができる。
【実施例２】
【００７４】
図８〜図１１は自動車の前部構造の他の実施例を示すものである。  
図８は自動車の前部構造を車両斜め下方から見上げた状態で示す斜視図、図９はその正面図、図１０は図８の平面図、図１１は蓄電装置（キャパシタ２０）の複数のブラケットの関連構造を示す斜視図である。なお、図８，図９，図１０においては、フロントサイドフレーム２前端のクラッシュカン４（メインクラッシュカン）の図示を省略している。
【００７５】
この実施例では、図１０に示すように、キャパシタ２０がサブフレーム１０におけるサイドメンバ１１前部（図８参照）に設けられるサブクラッシュカン１７の後端よりも車両前方へ突出するように配置されている。  
このため、フロントサイドフレーム２前端において、その閉断面を塞ぐように設けられたセットプレート３には、図１０に示すように、該セットプレート３の車幅方向外側背面に対して、平面視Ｌ字状のジョイントブラケット４０を取付け、図８に示すように、該ジョイントブラケット４０の車両前後方向に延びる前辺部４０ａに、前側取付けブラケット２１のフランジ部２１ｃを、ボルト、ナット等の取付け部材２５，２５（図８，図１１参照）を用いて連結固定している。
【００７６】
また、この実施例においてもサブクラッシュカン１７の取付けプレート１６には、上述同様に傾斜フランジ１６ａ（図８，図９参照）が一体形成される一方で、中間ブラケット２６の当接部２６ａにおける車幅方向内端部には車両後方に向けて屈曲された屈曲部２６ｄ（図１１参照）が一体形成されており、ボルト、ナット等の取付け部材２８を用いて、中間ブラケット２６の屈曲部２６ｄが取付けプレート１６の傾斜フランジ１６ａに連結されている。
【００７７】
キャパシタ２０の後部をフェンダブラケット２９に取付けた先の実施例（図６参照）と異なり、この実施例では、図１０，図１１に示すように、後側取付けブラケット２２と連結ブラケット２３とのコーナ部背面側に、ボルト、ナット等の取付け部材４１，４２を用いて、後側中間ブラケット４３を取付け、この取付け位置に対して車両後方側へ離間した位置において、該後側中間ブラケット４３を、ボルト、ナット等の取付け部材４４を用いて、フロントサイドフレーム２の車幅方向外側面に取付けている。
【００７８】
図１０，図１１に示すように、上述の後側中間ブラケット４３は、屈曲部４３ａ，４３ｂを有する平面視Ｌ字形状に形成されており、図１０に矢印βで示す車幅方向の揺動荷重に対しては耐力を有し、その荷重をフロントサイドフレーム２に伝達する一方で、車両前方から車両後方への真っ直ぐな荷重に対しては、当該後側中間ブラケット４３が変形して、キャパシタ２０の後退を許容すべく構成している。  
また、上述の後側中間ブラケット４３はフェンダブラケット２９と干渉しない位置に取付けられている。
【００７９】
この実施例では、図１０に示すように、キャパシタ２０がサブクラッシュカン１７の後端よりも車両前方へ突出しているので、衝突荷重の入力時にはキャパシタ２０が後退する。
【００８０】
この場合、前側取付けブラケット２１に入力された衝突荷重は、キャパシタ２０を経由することなく、連結ブラケット２３を介して後側中間ブラケット４３に伝達されて、キャパシタ２０を保護するように構成している。
【００８１】
さらに、この実施例においても、キャパシタ２０の前方の所定距離内、具体的にはクラッシュカン４（図１参照）およびサブクラッシュカン１７の荷重吸収ストローク範囲内には補機としてのフォグランプ７が配設されている。
【００８２】
図８〜図１１で示す実施例２において先の実施例１と同一の部分には同一符号を付して、その詳しい説明を省略するが、この実施例２においては、図９に示すようにセットプレート１５に対して連結部材３１が一体形成されている。また、図１０，図１１に示すように、連結ブラケット２３の側壁部２３ａにおける車両前後方向後辺は車幅方向外方へ屈曲されて、後部フランジ２３ｄが一体形成されており、この後部フランジ２３ｄが後側取付けブラケット２２の前面に接合されている。
【００８３】
図８〜図１１で示した実施例２の自動車の前部構造においても、フロントサイドフレーム２前部で、かつ該フロントサイドフレーム２の車幅方向外側部位に蓄電装置（キャパシタ２０参照）が配設された自動車の前部構造であって、上記蓄電装置（キャパシタ２０）の前方の所定距離内に補機（フォグランプ７）が配設されると共に、上記蓄電装置（キャパシタ２０）の前部を覆い、車幅方向外側辺が車両後方へ屈曲（屈曲部２１ｂ参照）し、かつ上記補機（フォグランプ７）よりも高剛性の前壁部２１ａを有する前側取付けブラケット２１を設け、上記蓄電装置（キャパシタ２０）は上記前側取付けブラケット２１を介して上記フロントサイドフレーム２前部に連結されたものである（図１０参照）。
【００８４】
この構成によれば、補機（フォグランプ７）よりも剛性が高い前側取付けブラケット２１の前壁部２１ａで蓄電装置（キャパシタ２０）の前部を覆い、該前側取付けブラケット２１を介して蓄電装置（キャパシタ２０）をフロントサイドフレーム２前部に連結したので、軽衝突時に補機（フォグランプ７）と蓄電装置（キャパシタ２０）とが干渉するような位置に蓄電装置（キャパシタ２０）を配置しても、前側取付けブラケット２１により蓄電装置（キャパシタ２０）の支持剛性の向上を図ることができると共に、軽衝突時に補機（フォグランプ７）が後退して蓄電装置（キャパシタ２０）前部の前側取付けブラケット２１における前壁部２１ａに干渉しても、該前壁部２１ａにて蓄電装置（キャパシタ２０）が損傷することを抑制して、該蓄電装置（キャパシタ２０）を保護することができる。
【００８５】
つまり、蓄電装置（キャパシタ２０）の支持剛性向上と、軽衝突時における蓄電装置（キャパシタ２０）の保護との両立を図ることができる。換言すれば、軽衝突時においては補機（フォグランプ７）を犠牲にして蓄電装置（キャパシタ２０）を保護するものである。  
また、上述の前側取付けブラケット２１は、その車幅方向外側辺が車両後方へ屈曲しており、この屈曲部２１ｂで前側取付けブラケット２１を補強することができると共に、軽衝突時に前側取付けブラケット２１に干渉した補機（フォグランプ７）を車幅方向外側に誘導して去なすことができるので、蓄電装置（キャパシタ２０）をより一層適切に軽衝突から保護することができる。
【００８６】
図８〜図１１で示したこの実施例２においても、その他の構成、作用、効果については、先の実施例１とほぼ同様である。  
この発明の構成と、上述の実施例との対応において、
この発明の蓄電装置は、実施例のキャパシタ２０に対応し、
以下同様に、
補機は、フォグランプ７に対応し、
取付けブラケットは、前側取付けブラケット２１に対応し、
補機の本体部は、フォグランプ本体７ａに対応し、
補機の脆弱部は、コネクタ７ｂに対応するも、
この発明は、上述の実施例の構成のみに限定されるものではない。
【００８７】
例えば、上記蓄電装置は、キャパシタ２０に代えて、補助バッテリやリチウムイオンキャパシタなどの他の蓄電装置であってもよい。
【産業上の利用可能性】
【００８８】
以上説明したように、本発明は、フロントサイドフレーム前部で、かつ該フロントサイドフレームの車幅方向外側部位に蓄電装置が配設された自動車の前部構造について有用である。
【符号の説明】
【００８９】
２…フロントサイドフレーム
７…フォグランプ（補機）
７ａ…フォグランプ本体（本体部）
７ｂ…コネクタ（脆弱部）
２０…キャパシタ（蓄電装置）
２１…前側取付けブラケット（取付けブラケット）
２１ａ…前壁部
２６…中間ブラケット
【図１】
2016097735.tif 000003
【図２】
2016097735.tif 000004
【図３】
2016097735.tif 000005
【図４】
2016097735.tif 000006
【図５】
2016097735.tif 000007
【図６】
2016097735.tif 000008
【図７】
2016097735.tif 000009
【図８】
2016097735.tif 000010
【図９】
2016097735.tif 000011
【図１０】
2016097735.tif 000012
【図１１】
2016097735.tif 000013